【手続補正書】
【提出日】平成26年6月2日(2014.6.2)
【手続補正１】
【補正対象書類名】特許請求の範囲
【補正対象項目名】全文
【補正方法】変更
【補正の内容】
【特許請求の範囲】
【請求項１】
物体側より像側へ順に、正の屈折力の第１レンズ群、負の屈折力の第２レンズ群、正の屈折力の第３レンズ群、正の屈折力の第４レンズ群より構成され、
広角端から望遠端へのズーミングに際し、前記第１レンズ群と前記第２レンズ群の間隔が増大し、前記第２レンズ群と前記第３レンズ群の間隔が減少し、前記第３レンズ群と前記第４レンズ群の間隔が増大するように前記第１レンズ群ないし前記第４レンズ群が移動するズームレンズにおいて、
前記第１レンズ群は物体側から像側へ順に、負レンズと正レンズを接合した接合レンズからなり、前記第２レンズ群は物体側から像側へ順に、負レンズ、負レンズ、正レンズからなり、前記第３レンズ群は物体側から像側へ順に、正レンズ、負レンズからなり、前記第４レンズ群は正レンズからなり、
広角端から望遠端へのズーミングに際しての前記第１レンズ群と前記第３レンズ群の移動量を各々Ｍ１、Ｍ３、前記第１レンズ群と前記第３レンズ群の焦点距離を各々ｆ１、ｆ３とするとき、
１．０  ＜  Ｍ３／Ｍ１  ＜  ３．０
２．５  ＜  ｆ１／ｆ３    ＜  ８．０
なる条件式を満足することを特徴とするズームレンズ。
【請求項２】
前記第１レンズ群ないし前記第４レンズ群の各レンズ群の光軸上の厚さの総和をＤＡとするとき、
１．０  ＜  Ｍ３／ＤＡ  ＜４．０
なる条件式を満足することを特徴とする請求項１に記載のズームレンズ。
【請求項３】
前記第１レンズ群ないし前記第４レンズ群の各レンズ群の光軸上の厚さの総和をＤＡとするとき、
０．９５＜  Ｍ１／ＤＡ  ＜６．００
なる条件式を満足することを特徴とする請求項１または２に記載のズームレンズ。
【請求項４】
前記第１レンズ群ないし前記第４レンズ群の各レンズ群の光軸上の厚さの総和をＤＡ、望遠端における前記第１レンズ群の物体側のレンズ面から像面までの距離をＴＤｔとするとき、
２．０  ＜  ＴＤｔ／ＤＡ    ＜６．０
なる条件式を満足することを特徴とする請求項１乃至３のいずれか一項に記載のズームレンズ。
【請求項５】
望遠端における全系の焦点距離をｆｔとするとき、
０．１  ＜  Ｍ１／ｆｔ  ＜３．０
なる条件式を満足することを特徴とする請求項１乃至４のいずれか一項に記載のズームレンズ。
【請求項６】
望遠端における前記第１レンズ群の物体側のレンズ面から像面までの距離をＴＤｔとするとき、
−０．５  ＜  （Ｍ３−Ｍ１）／ＴＤｔ  ＜０．２  
なる条件式を満足することを特徴とする請求項１乃至５のいずれか一項に記載のズームレンズ。
【請求項７】
広角端から望遠端へのズーミングに際しての前記第２レンズ群の移動量をＭ２、前記第１レンズ群ないし前記第４レンズ群の各レンズ群の光軸上の厚さの総和をＤＡとするとき、
−１．０  ＜  Ｍ２／ＤＡ  ＜１．０
なる条件式を満足することを特徴とする請求項１乃至６のいずれか一項に記載のズームレンズ。
【請求項８】
前記第２レンズ群の焦点距離をｆ２とするとき、
２．０  ＜  ｆ１／｜ｆ２｜  ＜６．０
なる条件式を満足することを特徴とする請求項１乃至７のいずれか一項に記載のズームレンズ。
【請求項９】
前記第２レンズ群の焦点距離をｆ２とするとき、
０．１  ＜  ｜ｆ２｜／ｆ３  ＜２．０
なる条件式を満足することを特徴とする請求項１乃至８のいずれか一項に記載のズームレンズ。
【請求項１０】
望遠端と広角端における前記第２レンズ群の横倍率を各々β２ｔ、β２ｗ、望遠端と広角端における前記第３レンズ群の横倍率を各々β３ｔ、β３ｗとするとき、
０．４５  ＜  （β２ｔ／β２ｗ）／（β３ｔ／β３ｗ）  ＜３．００
なる条件式を満足することを特徴とする請求項１乃至９のいずれか一項に記載のズームレンズ。
【請求項１１】
前記第４レンズ群の焦点距離をｆ４とするとき、
０．１５＜  ｆ３／ｆ４  ＜１．６０
なる条件式を満足することを特徴とする請求項１乃至１０のいずれか一項に記載のズームレンズ。
【請求項１２】
広角端における全系の焦点距離をｆｗ、前記第４レンズ群の焦点距離をｆ４とするとき、
１．０＜  ｆ４／ｆｗ  ＜１５．０
なる条件式を満足することを特徴とする請求項１乃至１１のいずれか一項に記載のズームレンズ。
【請求項１３】
請求項１乃至１２のいずれか一項に記載のズームレンズと該ズームレンズによって形成された像を受光する撮像素子を有することを特徴とする撮像装置。
【手続補正２】
【補正対象書類名】明細書
【補正対象項目名】００２４
【補正方法】変更
【補正の内容】
【００２４】
収差図において、ｄはｄ線、ｇはｇ線である。ΔＭはｄ線のメリジオナル像面、ΔＳはｄ線のサジタル像面を表している。歪曲収差においてはｄ線を表示している。倍率色収差においてはｄ線に対するｇ線の収差を表示し、横収差においてはｄ線を表示している。横軸は瞳径を示す。ＦｎｏはＦナンバー、ωは撮影画角の半画角（度）である。
【手続補正３】
【補正対象書類名】明細書
【補正対象項目名】００７４
【補正方法】変更
【補正の内容】
【００７４】
なる式で表している。＊は非球面形状を有する面を意味している。「ｅ−ｘ」は１０−ｘを意味している。ＢＦはバックフォーカスであり、最終レンズ面から像面までの距離を空気換算量で示している。前述の各条件式と数値実施例における諸数値との関係を表１に示す。レンズ全長は第１レンズ面から最終レンズ面までの距離にバックフォーカスの値を加えたものである。
【手続補正４】
【補正対象書類名】明細書
【補正対象項目名】００７５
【補正方法】変更
【補正の内容】
【００７５】
数値実施例１
単位 mm
面データ
面番号       r        d      nd         νd
1          ∞       0.00                             
2         18.275    0.60   1.92286    18.9           
3         14.029    2.75   1.77250    49.6           
4         94.141  (可変)                             
5        247.891    0.50   1.85135    40.1           
6*         5.824    2.65                             
7        -21.004    0.40   1.48749    70.2           
8         17.123    0.10                             
9          9.825    1.08   1.95906    17.5           
10         20.517  (可変)                             
11          ∞      -0.40                             
12*         4.786    1.55   1.76802    49.2           
13*       -40.494    0.20                             
14(絞り)    ∞       0.00                             
15          6.204    0.45   1.92286    18.9           
16          3.471    1.00                             
17          ∞       0.00                             
18          ∞       1.00                             
19          ∞     (可変)                             
20*        11.620    1.71   1.58313    59.4           
21      -3000.000  (可変)                             
22          ∞       0.80   1.51633    64.1           
像面        ∞   
非球面データ
第6面
K = 3.62105e-002  A 4=-3.21235e-005  A 6= 4.34339e-006  A 8=-1.89145e-007  
第12面
K =-6.68590e-001  A 4=-1.96155e-004  A 6=-3.71688e-005  A 8=-2.24966e-006  
第13面
K = 0.00000e+000  A 4= 1.87374e-004  A 6=-6.47688e-005  
第20面
K =-9.23793e-001  A 4= 2.11181e-005  A 6= 2.71907e-006  A 8=-5.37025e-008  
各種データ
ズーム比      7.54 
広角     中間     望遠
焦点距離       5.15    10.46    38.82  
Fナンバー      3.03     3.49     6.08  
半画角        32.91    19.57     5.70  
像高           3.33     3.72     3.88  
レンズ全長     37.29    37.44    51.86 
BF             4.60     7.10     5.04  
d 4            0.42     5.41    12.22  
d10           13.98     6.46     0.68  
d19            4.69     4.88    20.33  
d21            3.02     5.52     3.46  
ズームレンズ群データ
群  始面    焦点距離  
1    1      30.88  
2    5      -6.97  
3   11      10.11  
4   20      19.85  
【手続補正５】
【補正対象書類名】明細書
【補正対象項目名】００７６
【補正方法】変更
【補正の内容】
【００７６】
数値実施例２
単位 mm
面データ
面番号       r        d      nd         νd
1          ∞       0.00                             
2         20.269    0.45   1.92286    18.9           
3         15.575    2.00   1.77250    49.6           
4        109.116  (可変)                             
5        221.120    0.40   1.88300    40.8           
6          6.105    2.75                             
7        -12.882    0.40   1.88300    40.8           
8       -108.916    0.10                             
9         17.878    1.20   1.95906    17.5           
10       -138.781  (可変)                             
11(絞り)    ∞     (可変)                             
12*         4.542    1.75   1.58313    59.4           
13*       -38.384    0.20                             
14          4.916    0.60   1.95906    17.5           
15          3.317  (可変)                             
16          ∞     (可変)                             
17         17.996    1.05   1.51633    64.1           
18       -266.369  (可変)                             
19          ∞       0.80   1.51633    64.1             
像面        ∞   
非球面データ
第12面
K =-1.40887e+000  A 4= 9.87130e-004  A 6=-1.25523e-006  A 8= 1.88112e-008  
第13面
K =-1.29108e+002  A 4= 2.22366e-005  
各種データ
ズーム比      7.56 
広角     中間     望遠
焦点距離       5.16    12.03    39.00  
Fナンバー      3.28     4.25     6.08  
半画角        32.87    17.85     5.67  
像高           3.33     3.88     3.88  
レンズ全長    40.27    37.61    54.38 
BF             6.66    12.55    12.16  
d 4            0.40     4.38    14.59  
d10           16.84     5.98     0.83  
d11           -0.40    -0.40    -0.40  
d15            1.40     1.40     1.40  
d16            4.47     2.81    14.90  
d18            4.67    10.56    10.17  
ズームレンズ群データ
群  始面    焦点距離  
1    1      34.17  
2    5      -7.41    
4   12      11.08  
6   17      32.69    
【手続補正６】
【補正対象書類名】明細書
【補正対象項目名】００７７
【補正方法】変更
【補正の内容】
【００７７】
数値実施例３
単位 mm
面データ
面番号       r        d      nd         νd
1          ∞       0.00                             
2         19.390    0.60   1.92286    18.9           
3         14.802    2.75   1.77250    49.6           
4        160.996  (可変)                             
5        546.228    0.50   1.85135    40.1           
6*         6.131    2.65                             
7        -19.955    0.40   1.48749    70.2           
8         14.333    0.10                             
9          9.714    1.08   1.95906    17.5           
10         20.563  (可変)                             
11          ∞      -0.40                             
12*         4.673    1.60   1.76802    49.2           
13*       -59.081    0.20                             
14(絞り)    ∞       0.00                             
15          6.356    0.45   1.92286    18.9           
16          3.482    1.00                             
17          ∞       0.00                             
18          ∞       1.00                             
19          ∞     (可変)                             
20*        11.655    1.72   1.58313    59.4           
21      -1538.632  (可変)                             
22          ∞       0.80   1.51633    64.1           
像面        ∞   
非球面データ
第6面
K = 2.75945e-002  A 4= 5.52482e-005  A 6=-8.02334e-008  A 8= 5.80968e-008  
第12面
K =-6.25371e-001  A 4=-9.23742e-005  A 6=-3.73035e-006  A 8=-7.07523e-007  
第13面
K = 0.00000e+000  A 4= 3.37050e-004  A 6=-1.58765e-005  
第20面
K =-6.70977e-001  A 4= 1.54497e-005  A 6= 6.72109e-007  A 8= 1.55464e-008  
各種データ
ズーム比      9.42 
広角     中間     望遠
焦点距離       5.15    10.51    48.50  
Fナンバー      2.51     2.94     6.08  
半画角        32.91    19.50     4.57  
像高           3.33     3.72     3.88  
レンズ全長    38.35    38.70    58.90 
BF             4.91     7.36     4.93  
d 4            0.38     5.19    11.96  
d10           14.65     7.13     0.69  
d19            4.76     5.38    27.67  
d21            3.33     5.78     3.35  
ズームレンズ群データ
群  始面    焦点距離  
1    1      30.17  
2    5      -6.85  
3   11      10.43  
4   20      19.84  
【手続補正７】
【補正対象書類名】明細書
【補正対象項目名】００７８
【補正方法】変更
【補正の内容】
【００７８】
数値実施例４
単位 mm
面データ
面番号       r        d      nd         νd
1          ∞       0.00                             
2         26.465    0.60   1.92286    18.9           
3         20.266    2.98   1.77250    49.6           
4        132.234  (可変)                             
5      -4024.505    0.50   1.85135    40.1           
6*         7.215    2.80                             
7        198.088    0.40   1.48749    70.2           
8         14.871    0.10                             
9          9.715    1.31   1.95906    17.5           
10         16.121  (可変)                             
11          ∞      -0.40                             
12*         4.823    1.70   1.76802    49.2           
13*      3986.156    0.20                             
14(絞り)    ∞       0.00                             
15          5.787    0.45   1.92286    18.9           
16          3.425    1.00                             
17          ∞       0.00                             
18          ∞       1.00                             
19          ∞     (可変)                             
20*        14.022    1.64   1.58313    59.4           
21        -63.562  (可変)                             
22          ∞       0.50   1.51633    64.1             
像面        ∞   
非球面データ
第6面
K =-1.78247e-001  A 4= 6.06183e-005  A 6= 1.34856e-007  A 8= 5.66110e-008  
第12面
K =-8.45480e-001  A 4= 2.71785e-004  A 6= 2.97341e-006  A 8=-2.32851e-007  
第13面
K = 0.00000e+000  A 4= 1.82999e-004  A 6=-5.92472e-006  
第20面
K =-2.65149e+001  A 4= 1.00348e-003  A 6=-2.95398e-005  A 8= 5.05159e-007  
各種データ
ズーム比      9.45 
広角     中間     望遠
焦点距離       5.15    10.46    48.68  
Fナンバー      2.74     2.69     6.08  
半画角        32.91    19.58     4.55  
像高           3.33     3.72     3.88  
レンズ全長    48.27    42.61    60.62  
BF             1.73     7.29     1.54  
d 4            0.50     8.52    17.98  
d10           23.23     8.32     0.74  
d19            8.54     4.20    26.08  
d21            0.50     6.06     0.31  
ズームレンズ群データ
群  始面    焦点距離  
1    1      45.40  
2    5      -9.39  
3   11      11.41  
4   20      19.86  
【手続補正８】
【補正対象書類名】明細書
【補正対象項目名】００７９
【補正方法】変更
【補正の内容】
【００７９】
数値実施例５
単位 mm
面データ
面番号       r        d      nd         νd
1          ∞       0.00                             
2         22.744    0.60   1.92286    18.9           
3         17.837    2.94   1.77250    49.6           
4        174.904  (可変)                             
5        222.422    0.50   1.85135    40.1           
6*         5.302    2.80                             
7         96.286    0.40   1.48749    70.2           
8         21.625    0.10                             
9          9.622    1.19   1.95906    17.5           
10         18.121  (可変)                             
11          ∞      -0.40                             
12*         5.358    1.53   1.76802    49.2           
13*     -1173.342    0.20                             
14(絞り)    ∞       0.00                             
15          6.827    0.45   1.92286    18.9           
16          3.876    1.00                             
17          ∞       0.00                             
18          ∞       1.00                             
19          ∞     (可変)                             
20*         7.777    1.99   1.58313    59.4           
21         21.526  (可変)                             
22          ∞       0.80   1.51633    64.1           
像面        ∞   
非球面データ
第6面
K =-3.58713e-001  A 4= 9.41505e-005  A 6= 5.22965e-006  A 8= 5.92670e-008  
第12面
K =-9.37765e-001  A 4= 1.23083e-004  A 6=-2.51504e-005  A 8=-1.80171e-006  
第13面
K = 0.00000e+000  A 4=-1.80904e-004  A 6=-4.44899e-005  
第20面
K =-2.31052e+000  A 4= 4.76104e-004  A 6=-2.96333e-006  A 8= 5.57163e-008  
各種データ
ズーム比      7.52 
広角     中間     望遠
焦点距離       5.15    10.49    38.72  
Fナンバー      3.34     4.21     6.60  
半画角        32.91    19.52     5.72  
像高           3.33     3.72     3.88  
レンズ全長    40.20    44.55    60.71 
BF             8.40     8.79     7.30  
d 4            0.34     6.36    15.73  
d10           17.00     9.65     1.52  
d19            0.15     5.44    21.85  
d21            6.82     7.21     5.72  
ズームレンズ群データ
群  始面    焦点距離  
1    1      35.55  
2    5      -8.79  
3   11      14.05  
4   20      19.82